Podtech/llm-jp-corpus-v4-ja_patent huggingface dataset:
(57)【特許請求の範囲】
【請求項１】
上下の歯磨きコップの上のコップの底部を取り外して、その孔に穴付きスチールを設置し、その中央に直径１ｃｍ厚さ５ｍｍ程の磁石を付け、下のコップ底にも同じ大きさの磁石を付着させて、二つのコップの底と底を磁石で合致させ、下側のコップを逆さまにして、水分を滴り落として自然乾燥させコップ内に雑菌が付着しないようにした衛生スマート歯磨きコップである。
【請求項２】
上の歯磨き入れ用コップ底に、直径１ｃｍ厚さ５ｍｍ位の磁石を付着させ、下の口漱ぎ用歯磨きコップ底にも同様に、同じ大きさの磁石を合致させ、双方合わせて１ｃｍの厚みの磁石を中間部に設けて空間を生み出し、上のコップの底に設置した穴付きスチールの孔から、上のコップ内に空気を取り入れて、歯磨きや歯ブラシ入れの中が湿気でじめじめしないように、換気口の役割を果たせるようにした衛生スマート歯磨きコップである。
【請求項３】
二つの歯磨きコップの底部の上下を磁石で合致させ、コップをフックで吊るした時の上下のバランスを良くする為、上のコップの上部にリング付き丸フックを設置、コップ置きスペースのない狭い小さな洗面台でも、あらゆる箇所に何人分もの衛生歯磨きコップを簡単に引っかけられるようにし、上のコップは取っ手を外して歯磨きや歯ブラシ入れ専用に、下のコップは口漱ぎ専用で上下互いに区別して、衛生面に配慮しながら場所取らずにし、下のコップは逆さま状態にして水分を滴り落とし常に乾燥させて、カビ等が繁殖しない様にした衛生スマート歯磨きコップである。
【発明の詳細な説明】
【技術分野】
【０００１】本考案は歯磨き用コップの中に付着する雑菌や水垢による不衛生な黒ずみを防ぐために、二つのコップの底と底を磁石で合致させ、下のコップを逆さまにして、水滴を下に滴り落としながら自然乾燥させて除菌、一方の上側のコップは歯磨きや歯ブラシ入れ専用で使用し、二つのコップ底を合致させて中間部分に空間を生み出し、上のコップ内にも空気を取り入れて湿気を防げるようにして、二つのコップ上下を縦長式にし、上のコップにリング型フックを付け、空いているスペースどこにでも吊るして使用できるようにした衛生スマート歯磨きコップである。
【背景技術】
【０００２】従来より、歯磨きコップには歯ブラシや歯磨きを入れっぱなしにしておくので、水切れが悪いせいで、黒ずんだカビの様な雑菌が付着して不衛生であった、使用する都度こまめに洗ったり乾燥させたりして使用するのは結構面倒であり、コップ内に雑菌等が繁殖しないように衛生的に使用するには、簡単かつ楽な方法で手間のかからない工夫が必要であった。
【先行技術文献】
【０００３】
【特許文献１】特開  ２００１−１７８６１５号公報
【発明の概要】
【発明が解決しようとする課題】
【０００４】歯磨き使用後にコップの中に歯ブラシ等を入れっぱなしにしておくと、いつの間にかコップ底内に黒ずんだ雑菌に気付くが、歯磨き使用後は歯ブラシ等をコップから外して乾燥状態にしておかないと、どうしても雑菌が付着してしまい、不衛生になるので、コップ内の衛生処理方法として、簡単水切れ自然乾燥ができるように、常に逆さ吊りにし雑菌が付着しないようにして、衛生面での問題点を解決するものである。
【課題を解決するための手段】
【０００５】二つの歯磨きコップを用意し、上の歯磨き入れ用のコップ底面部分をくり抜き、そこに穴付きスチールを設置し、そこに厚さ５ｍｍ直径１ｃｍ位の磁石を付着させる。
下のコップ底にも厚さ５ｍｍ直径１ｃｍ位の磁石を粘着させ、上下のコップ底を磁石で合致させて、１ｃｍ位の空間をコップの真ん中に作り出して、上のコップ内にも空気を取り入れられるようにして、歯磨き等が湿気でじめじめしないよう換気口の役割を果たせるようにし、吊るして使用する時のバランスが良くなるように、上のコップの淵にリング付き丸型フック［図３］を設置し、上の歯磨きの取っ手を外して、下のコップは逆さま状態［図５］にして、水分を滴り落として自然乾燥させながら雑菌が付着しないようにする。
【発明の効果】
【０００６】口漱ぎ用コップは常に逆さま状態なので自然乾燥してくれて、黒ずみや雑菌が全く付かなくなったので、とても衛生的で便利、上の歯磨きや歯ブラシ入れの中には、コップ底の空間孔より空気が入り込むので、上のコップ内も湿気でじめじめしないようになり、上下のコップ底面で合致した磁石は、取り外し簡単で使用しやすく、フック式なので空いている場所どこにでも引っかけておけるので場所いらず、二つのコップは縦長にくっついているので、限られたスペースで利用できて、歯磨き後にわざわざコップを洗ったり乾燥させたりする必要もなく、そのままぶら下げておくだけで黒い雑菌等が繁殖しなくなった。
【図面の簡単な説明】
【０００７】
【図１】本考案の上面図
【図２】本考案の上面図
【図３】本考案の上面図
【図４】本考案の上面図
【図５】本考案の全体図
【発明を実施するための形態】
【０００８】（イ）  同じ型の歯磨き用コップを二つ用意し、片方（上部用）のコップの底をくり抜いて空間にする。
（ロ）  その空間に、網目穴付きのステンレススチール（２）を設置し、換気口の役目を果たせるようにする。
（ハ）  コップ底部に取り付けた網目穴スチールの上に、厚さ５ｍｍ直径１ｃｍ位の厚みの磁石（３）を取り付ける。
（ニ）  コップ上部の淵に、どこにでも引っかけて使用できるように、リング付き丸型フック（５）を設置する。
（ホ）  上部のコップに付いている取っ手は不必要なので外しておく（７）。
（ヘ）  片方（下部用）のコップの底にも、厚さ５ｍｍ直径１ｃｍ位の磁石（６）を粘着させる。
（ト）  上部のコップ底と下部のコップ底を磁石で重ね合わせて、両コップ底の中間に隙間、約１ｃｍ（８）を磁石で生み出し、上のコップ内に空気を取り入れられるようにする。
（チ）  両コップ底を合致させて、下のコップを逆さまにして使用［図５］。
【符号の説明】
【０００９】１、上部のコップ底
２、上部の穴空きスチール
３、上部底の磁石
４、丸型フック
５、リング付き丸型フック
６、下のコップ底の磁石
７、取っ手を外す
８、厚さ１ｃｍの磁石
【図１】
0005540438.tif 000002
【図２】
0005540438.tif 000003
【図３】
0005540438.tif 000004
【図４】
0005540438.tif 000005
【図５】
0005540438.tif 000006
(57)【特許請求の範囲】
【請求項１】
回転駆動軸に取付けられるハブの周囲に複数の羽根板を固着してなるプロペラファンにおいて、ハブと連結されるモータの回転軸方向における一対の羽根板の取付角αと同じ角度で逆向き、すなわち、角度（−α）で、他方の羽根板が、ハブ１を起点に、その傾斜方向が前後に相対向するように取付けたことを特徴とする施設園芸空調機用プロペラファン。
【発明の詳細な説明】
【技術分野】
【０００１】  本発明は、果実、庭樹、花卉などの園芸作物の栽培ハウス内の空調機等に好適に用いられるプロペラファンに関するもので、特に植物育成に効果的な送風を行うことができる施設園芸空調機用プロペラファンに関するものである。
【背景技術】
【０００２】  従来、果実、庭樹、花卉などの園芸作物の栽培ハウスにおいて、例えば、空気吸込口から吸い込まれた空気を、火炉で発生させた燃焼ガスと熱交換し、生成した温風をケーシング上部の温風吐出口からハウス内に吐出する温風暖房機等の空調機が使用される。【０００３】  空調機は、モータ等の回転駆動軸に取り付けられたプロペラファンを使用して送風するのが一般的である。送風形式としてはダウンフロー型（特許文献１参照。）やアップフロー型、暖房機の下部吐出口から延びる送風ダクトを地上部に配置し、送風ダクトの送風口から温風を吹き上げ、主に果樹類などの立木で比較的背の高いものの加温に用いるものなどがある。【０００４】  このような空調機で使用するプロペラファンとして、例えば特許文献２に記載のものを挙げることができる。これはモータの回転軸に円筒状のボス部を取付けると共に、このボス部の外周部に所定の間隔を置いて円筒状のハブ部を配置し、ボス部とハブ部とを複数のブリッジリブにて連結し、さらにハブ部の外周部に羽根を装着した構造のものである。
【特許文献】
【０００５】
【特許文献１】特開平５−１３３６１０号公報
【特許文献２】特開平２−２５６２９９号公報
【発明の開示】
【発明が解決しようとする課題】
【０００６】  ところで、施設園芸においては、常に一定の風圧よりも風圧や振幅が強弱変化するパルス状あるいは波状の送風を行うことがハウス内の植物育成に効果的であることを本発明者は知得し、本発明をするに至った。加えて、ファンの回転のみで送風を拡散あるいは収束させる構造についても同時に開発した。本発明は、果実、庭樹、花卉などの園芸作物の栽培ハウス内の植物育成に効果的な施設園芸空調機用プロペラファンを提供するものである。
【課題を解決するための手段】
【０００７】この目的を達成するため、本発明の施設園芸空調機用プロペラファンは回転駆動軸に取付けられるハブの周囲に複数の羽根板を固着してなるプロペラファンにおいて、ハブと連結されるモータの回転軸方向における一対の羽根板の取付角αと同じ角度で逆向き、すなわち、角度（−α）で、他方の羽根板が、ハブ１を起点に、その傾斜方向が前後に相対向するように取付けたことを特徴とする。
【発明の効果】
【０００８】  本発明に係る施設園芸空調機用プロペラファンは、ハウス内に温風を供給してハウス内を暖房する温風暖房機能の他、ハウス内空気の攪拌用、通風用としても幅広く用いることができ、果実、庭樹、花卉などの園芸作物の栽培ハウス内の植物育成に効果的なパルス状あるいは波状の送風を行うことができる。また、特段の手段を付加することなく、ファンの回転のみで送風の拡散又は収束を行うことができる。
【発明を実施するための最良の形態】
【０００９】  次に本発明のプロペラファンの実施の形態について、図面に示す実施例に基づいて詳細に説明する。
【実施例１】
【００１０】  図１及び図２に本発明の第１の実施形態を示す。同図において、１はハブであり、その外周部には径方向に延びる４枚の羽根２、２及び３、３が各々対向して周方向等間隔に装着されている。本実施例では、ハブ１と連結されるモータ４の回転軸４ａ方向における任意の羽根板（２、２）の取付角度を、他の羽根（３、３）の取付角度と相違させたものである。つまり一対の羽根２、２を、周方向に背中合わせになるように配置し、一方の羽根板（２、２）の取付角α、と同じ角度逆向き、すなわち角度β（−α）で他方の羽根板（３，３）をハブ１に取付け、プロペラファンが回転すると、拡散方向と収束方向との送風方向の異なる送風を行うことができる。尚、羽根板２、３の取付角度とは、ハブ１の回転軸芯方向と羽根板２、３との成す角度のことである。【００１１】  これにより、果実、庭樹、花卉などの園芸作物の栽培ハウス内の植物育成に効果的なパルス状あるいは波状の送風を行うことができる。また、特段の手段を付加することなく、ファンの回転のみで送風の拡散又は収束を行うことができ、ハウス全体への送風やピンポイントでの送風が可能になる。【００１２】  尚、上記実施例では、羽根板の取付角度を軸方向の前後対称に設けたが、これに限定されるものではなく、例えば、一方の羽根板（２、２）の取付角度αを他の羽根板（３、３）の取付角度βよりも小さく、その逆としてもよい。
【実施例２】
【００１３】  図３及び図４には第２の実施形態を示す。この実施形態においては、回転駆動軸４ａに取付けられるハブ１の周囲に複数の羽根板２を固着してなるプロペラファンにおいて、羽根板２の表面に軸芯４ａに対して内向き又は外向きに複数の溝条５を設けている。これにより、特段の手段を付加することなく、ファンの回転のみで送風の拡散又は収束を行うことができる。【００１４】  上記各実施例のプロペラファンは、波数制御方式、位相制御方式等によって制御される回転数制御が可能なモータに装着して使用するのが好ましいが、特にこれに限られるものではない。
【産業上の利用可能性】
【００１５】  本発明に係る施設園芸用温風暖房機は、施設園芸用ハウス内に温風を供給してハウス内を暖房する温風暖房機の他、ハウス内空気の攪拌用、通風用としても幅広く用いることができる。
【図面の簡単な説明】
【００１６】
【図１】本発明に係るプロペラファンの一実施例を示す正面図である。
【図２】図１のＡ−Ａ線断面図である。
【図３】本発明に係るプロペラファンの他の実施例を示す正面図である。
【図４】本発明に係るプロペラファンの他の実施例を示す正面図である。
【符号の説明】
【００１７】１    ハブ
２    羽根板
３    羽根板
４    モータ
４ａ  回転軸
５    溝条
【図１】
0005540429.tif 000002
【図２】
0005540429.tif 000003
【図３】
0005540429.tif 000004
【図４】
0005540429.tif 000005
(57)【特許請求の範囲】
【請求項１】
開放部を下方に向けた椀形のりん部（１）と、該りん部（１）の凹部中心を接触支持する支持部材（２）と、該支持部材（２）が垂設される支持台（３）と、からなり、
前記りん部（１）上部につまみ（５１）を有しており、
該つまみ（５１）が、前記りん部（１）の上面から上側に離隔した位置に膨大部（５２）を有することを特徴とする仏りん。
【発明の詳細な説明】
【技術分野】
【０００１】
本発明は、葬祭用具であって仏壇や祭壇あるいは墓前等で使用する仏りんに関するものである。
【背景技術】
【０００２】
葬祭用具である仏りんは通常椀形をしており、凹面である開放部を上方に向け、下部を座布団や支持台により支持して使用する。しかし、りん部と座布団や支持台との接触面積が大きいとりん部の振動を制限し音の響きが悪くなるという問題があり、それを解決するため、文献１及び２においてりん部と支持台との連結方法の工夫が提案されている。また、文献３において水抜き孔を有する屋外設置用の仏りんが提案されている。
【特許文献１】登録実用新案第３０５４６０７号公報
【特許文献２】特開平８−２０５９８９号公報
【特許文献３】特開２００１−５７９３７号公報
【発明の開示】
【発明が解決しようとする課題】
【０００３】
しかしながら、仏りんの音は開放部の向いた方向に広がるため、高い位置に設置した場合下方への音の広がりが少なく音がきれいに響かないという点が問題であった。
また、りん部と支持台とが連結されている仏りんの多くは凹部内面に連結機構又はその一部を有し、特に小さい仏りんの場合連結の作業がしづらいという点も問題であった。
さらに、仏りんの開放部が上向きであるため凹面内部にほこり等がたまりやすく、前述の水抜き孔にも落葉等が詰まって水が抜けにくくなるという懸念があった。
また、支持台と連結された仏りんは座布団を敷くものと比べて現代的なデザインが可能であるが、好適な音の高さを維持するためりん部の小型化に限界があり、りん部と支持台を合わせた仏りん全体としての小型化が困難であった。そのため、昨今の住宅事情により普及している小型の仏壇において、そこに飾る花器や香炉等の仏具と比べて仏りんが大きくバランスが取れないという点も問題であった。
【０００４】
本発明は、りん部の振動が阻害されることなく周囲に万遍なく音が広がり、また凹面内部の煩わしい作業や清掃が必要なく、小型化が可能な仏りんを提供することを目的とする。
【課題を解決するための手段】
【０００５】
本発明は、開放部を下方に向けた椀形のりん部と、該りん部の凹部中心を接触支持する支持部材と、該支持部材が垂設される支持台と、からなり、前記りん部上部につまみを有しており、該つまみが、前記りん部の上面から上側に離隔した位置に膨大部を有することを特徴とする。
【発明の効果】
【０００６】
本発明によれば、椀形のりん部の開放部を下方に向けることで、下面に音の広がりを持たせることができる。よって、仏りんが高い位置に設置される場合でも良く音が響き、また低い位置に設置される場合は音が床面に反射するので通常の仏りんと変わらない音の響きが得られる。
また、りん部の開放部が下方を向き凸面が上方を向いていることから、ほこり等がたまりにくく、表面に汚れが付着した場合でも清掃が容易である。屋外に設置した場合も内部に水がたまることがなく、水抜き孔等を設ける必要もない。
さらに、支持部材がりん部の内側に位置することから仏りん全体の高さを低く構成することができ、他の仏具とのバランスを考慮したデザインが可能となった。
【０００７】
そして、りん部の上部につまみを設けることでりん部あるいはりん部と支持部材及び支持台とをつまみ上げることができる。りん部に直接触れると汚れが付着し、音が悪くなる、見栄えが悪くなる、腐食の原因となる等の問題があるが、つまみを設けることによりこれらを防ぐことができる。また、りん部を打ち鳴らした後につまみをつまむことで、音を適度に抑えることができる。
【発明を実施するための最良の形態】
【０００８】
本発明の仏りんの具体的な構成について、各図面に基づいて説明する。
【０００９】
本仏りんの第１実施形態は、図１に示すように、開放部を下方に向けた椀形のりん部１と、該りん部１の凹部中心を接触支持する硬直した柱体の支持部材２と、該支持部材２が垂設される支持台３と、からなる。そして、りん部１上部につまみ５１を有しており、つまみ５１が、りん部１の上面から上側に離隔した位置に膨大部５２を有する。つまみ５１はりん部１と一体成型であっても良いし、別部材を接合するものであっても良い。さらに、支持部材２と支持台３とは、一体成型であっても別部材を接合するものであっても良い。材料は、通常仏りんに用いられる真鍮が音の響きや耐食性の面で適するが、その他好みの音色や質感に合わせて自由に選択できる。また、りん部１と支持部材２及び支持台３とが同じ材料であっても異なる材料であっても良い。
【００１０】
図２は本発明の仏りんの第２実施形態を示す。本仏りんにおいてはりん部１が頭頂部に貫通孔６１を有し、支持部材２の先端部が細くなり貫通軸部１４となっている。貫通孔６１の上下に弾性体であるゴム製のオーリング２２を設置し、オーリング２２と貫通孔６１を貫通軸部１４が貫通し、貫通軸部１４上部に膨大部５２を有するつまみ５１を螺着することで、りん部１がオーリング２２を介して支持部材２とつまみ５１とで挟まれる。オーリング２２の材質は弾性体であれば自由に選ぶことができ、弾性を変化させることで様々な音の響きや打ち心地を楽しむことができる。なお、このように、りん部１、支持部材２及び支持台３、つまみ５１をそれぞれ別部品にすることにより、素材から部品を加工する際の無駄を省き、加工コスト、材料コストを抑えることができる。
【図面の簡単な説明】
【００１１】
【図１】本発明の仏りんの第１実施形態を示す中心軸断面図である。
【図２】本発明の仏りんの第２実施形態を示す中心軸断面図である。
【符号の説明】
【００１２】
１  りん部
２  支持部材
３  支持台
５１  つまみ
５２  膨大部
【図１】
0005540172.tif 000002
【図２】
0005540172.tif 000003
(57)【特許請求の範囲】
【請求項１】
底面に注油口あるいは注油菅を挿入する挿入孔を形設したＢＯＸ本体に、開閉自在な蓋を設けてなる連結ＢＯＸを取り付けてなることを特徴とする注油口ＢＯＸ。
【請求項２】
挿入孔の周りに、油止部を形設してなることを特徴とする請求項１記載の注油口ＢＯＸ。
【請求項３】
ＢＯＸ本体に取付孔を形設し、耐油パッキンにて防油してなることを特徴とする請求項１又は２記載の注油口ＢＯＸ。
【請求項４】
ＢＯＸ本体と連結ＢＯＸが、分割可能に形成してなることを特徴とする請求項１，２又は３記載の注油口ＢＯＸ。
【請求項５】
ガソリンスタンドに設置した注油口あるいは注油菅に、ＢＯＸ本体の挿入孔を挿入し、周囲に埋設した連結具にＢＯＸ本体の取付孔を挿入し、耐油パッキンを介して連結具にて固定する固定工程と、注油菅の周囲をコーキングするコーキング工程と、ＢＯＸ本体上に連結ＢＯＸを上連結孔と下連結孔を合せて、連結具にて連結する連結工程とからなることを特徴とする注油口ＢＯＸ取付方法。
【発明の詳細な説明】
【技術分野】
【０００１】  本発明は、ガソリンスタンド内に設置された各注油口を保護すると共に、油漏れを防止してなる注油口ＢＯＸ及び注油ＢＯＸ取付方法に関するものである。
【背景技術】
【０００２】  従来技術として、同様なものはなく、地下タンクから地上側に立ち上げた注油菅の上に  注油口を接続すると共にこの注油口から注油菅までの間の流路を開閉する開閉バルブを  設ける。なお、図示の例では１個の地下タンクを示しているが、複数の油種の貯蔵のた  めにこれらの地下タンクを複数備えることは従来通りであり、同様に注油口や開閉バル  ブを備えた設備とするのが一般的である。（特許文献１参照）
【先行技術文献】
【特許文献】
【０００３】
【特許文献１】  特開平９−１４２５８８号  公報  （第１図）
【発明の概要】
【発明が解決しようとする課題】
【０００４】  上記従来技術の第１図に示されているように、注油口の周囲に油漏れを防止するためのブロック（防油提）を形設してある。
よって、油漏れは防止できるが、その都度現場でコンクリートを打設して養生して施工しなければならず手間であり、蓋を設けるためには別工程が必要で、不合理である。【０００５】  本発明は、従来の問題点を解消するため、ＢＯＸ本体と連結ＢＯＸにより、持ち運びが簡単で現場ですぐに組み立てられ、油漏れを防止する効果も高い注油口ＢＯＸ及び注油口ＢＯＸ取付方法を提供することを目的とする。
【課題を解決するための手段】
【０００６】  本発明は、底面に注油口を挿入する挿入孔を形設したＢＯＸ本体に、開閉自在な蓋を設けてなる連結ＢＯＸを取り付けてなる。挿入孔の周りに、円筒状の油止部を形設してなる。ＢＯＸ本体に取付孔を形設し、耐油パッキンにて防油してなる。ＢＯＸ本体と連結ＢＯＸが、分割可能に形成してなる注油口ＢＯＸ。
また、ガソリンスタンドに設置した注油口あるいは注油菅に、ＢＯＸ本体の挿入孔を挿入し、周囲に埋設した連結具にＢＯＸ本体の取付孔を挿入し、耐油パッキンを介して連結具にて固定する固定工程と、注油菅の周囲をコーキングするコーキング工程と，ＢＯＸ本体上に連結ＢＯＸを上連結孔と下連結孔を合せて、連結具にて連結する連結工程とからなる注油口ＢＯＸ取付方法。
【発明の効果】
【０００７】注油口ＢＯＸにおいては、
１）、分割されたＢＯＸ本体と連結ＢＯＸにより、持ち運びが簡単で、現場ですぐに組み立てられる。
２）、品質が一定であるため、現場でのトラブルが少ない。
３）、油止部を形設することにより、油が外部へ流出することを防止することができる。
４）、耐油パッキンを使用することにより、油漏れを防止することができる。
注油口ＢＯＸ取付方法においては、
１）、注油口あるいは注油菅にＢＯＸ本体を取り付けるもので、分割されているため簡単・容易に施工できる。
２）、特に注油菅にＢＯＸ本体を取り付けた後において、連結エルボや注油口を取り付けることにより、連結エルボがアンカーとなりＢＯＸ本体を外部の者が取り外すことができず、セキュリティー効果が高い。
３）、注油菅と挿入孔のスキ間をコーキングすることにより、強固に防油できる。
４）、ＢＯＸ本体が防油提となる。
【図面の簡単な説明】
【０００８】
【図１】本発明の一実施例を示す注油口ＢＯＸの側面図。
【図２】本発明の一実施例を示す注油口ＢＯＸの平面図。
【図３】本発明の一実施例を示す注油口ＢＯＸのＢＯＸ本体の平面図。
【図４】本発明の一実施例を示す注油口ＢＯＸのＢＯＸ本体の底面図。
【図５】本発明の一実施例を示す注油ＢＯＸ取付方法の施工状態図。
【発明を実施するための形態】
【０００９】１は、注油口ＢＯＸである。
２は、上面を開口してなるＢＯＸ本体で、側面四角形状で、平面長方形状に形設し、底面に注油口あるいは注油菅を挿入する挿入口２ａ（この実施例の場合、４箇所）を形設すると共に、取付けのための取付孔２ｂ（この実施例の場合、６箇所）を形設し、挿入口２ａの周りに円筒状の油止部２ｃを形設してある。
なお、上面外周には、後述する連結ＢＯＸと連結するための上連結孔２ｄを多数穿設してある。
３は、下面を開口している連結ＢＯＸで、下面外周には上記連結孔２ｄ−−−に対応する下連結孔３ａ−−−を多数穿設すると共に、上面斜状位置に、エアーダンパー３ｂにて開閉自在に形成した蓋３ｃを設け、必要に応じて取手３ｃ１及び錠部３ｄを設ける。
【００１０】  上記注油口ＢＯＸ１の取付方法について説明する。
ガソリンスタンドＧＳに設置した注油菅ＴＫに、ＢＯＸ本体２の挿入孔２ａをその上方より挿入し、周囲に埋設したアンカーボルトによる連結具ＡＢにＢＯＸ本体２の取付孔２ｂを挿入し、耐油パッキンＴＰを介してナットによる連結具Ｎにて固定する固定工程と、注油菅ＴＫの周囲（油止部２ｃとのスキ間）をコーキングＫＧするコーキング工程と、注油菅ＴＫに連結エルボＲＥ及び注油口菅ＫＫを取り付けた注油口Ｔを設置した後、ＢＯＸ本体２上に連結ＢＯＸ３を上連結孔２ｄと下連結孔３ａを合せてボルト・ナットによる連結具ＢＮにて連結工程とからなるものである。
【００１１】  この状態で、注油時に蓋３ｃを開け、所要の注油口Ｔへ注油ホース（図示せず）を連結し、注油するもので、注油後は蓋３ｃを閉じ、必要に応じて錠部３ｄに錠を掛ける。
【００１２】  上記実施例において、挿入口の数等は必要に応じて決めればよい。
【符号の説明】
【００１３】１−−−−−注油口ＢＯＸ
２−−−−−ＢＯＸ本体
２ａ−−−−挿入口
２ｂ−−−−取付孔
２ｃ−−−−油止部
２ｄ−−−−上連結孔
３−−−−−連結ＢＯＸ
３ａ−−−−下連結孔
３ｂ−−−−エアーダンパー
３ｃ−−−−蓋
３ｃ１−−−取手
３ｄ−−−−錠部
ＧＳ−−−−ガソリンスタンド
ＴＫ−−−−注油菅
ＡＢ−−−−アンカーボルトによる連結具
ＴＰ−−−−耐油パッキン
Ｎ−−−−−ナットによる連結具
ＫＧ−−−−コーキング
ＲＥ−−−−連結エルボ
ＫＫ−−−−注油口菅
Ｔ−−−−−注油口
ＢＮ−−−−ボルト・ナットによる連結具
【図１】
0005423960.tif 000002
【図２】
0005423960.tif 000003
【図３】
0005423960.tif 000004
【図４】
0005423960.tif 000005
【図５】
0005423960.tif 000006
(57)【特許請求の範囲】
【請求項１】
紙製または樹脂製シート材よりなる袋状の容器と、
紙製または樹脂製シート材で両端開口の筒状に形成され、一端部側を前記容器内へ挿入して前記容器に装着する吐出口と、
前記容器に封入して設けた吐液吸収物質とを備え、
前記吐出口は扁平に押し潰した状態で前記容器に装着され、
前記吐出口は、口の中に挿入可能に構成され、
前記吐出口は、吐出口の両側を互に接近させる方向へ押圧することにより、筒状に復元させ得ると共に両端を開口させ得るように構成されている
ことを特徴とする使い捨てのうがい容器。
【請求項２】
請求項１に記載の使い捨てのうがい容器において、使用後に前記吐出口を折り曲げて密閉状態を保持する吐出口接着部を前記容器に取り付けたことを特徴とする使い捨てのうがい容器。
【発明の詳細な説明】
【技術分野】
【０００１】
本発明は、使い捨てのうがい吐液容器に関する。
【背景技術】
【０００２】
うがい薬は、感冒予防などで広く利用されている。
【特許文献１】特開２００８−１２７２８４
【特許文献２】特開２００６−３２６１０７
【発明の概要】
【発明が解決しようとする課題】
【０００３】
うがい行為はうがい薬を所持していも洗面設備が無いと利用出来ないので、特に新型インフルエンザなど、感染が疑われる環境に遭遇した際には、その場ですぐにうがい行為の実施出来なかった。
【課題を解決するための手段】
【０００４】
上記の問題を解決するために、請求項１では、
吐液を吸収する高分子凝集剤などによる吐液吸収物質を封入した紙製または樹脂製シート材の容器と、紙製または樹脂製シート材からなる筒状の吐出口を扁平に押し潰した状態で前記容器に装着された事を特徴とする使い捨てうがい吐液容器である。
これによると、うがい後の口内に残る吐液を含んだまま、かつ口を閉じた状態にて扁平した吐出口を口に押し当てる事によって吐液を漏らす事なく挿入する事ができ、口に挿入したまま扁平した吐出口の左右を指で押す事により吐出口が大きく開口するので容器内への吐き出しを容易にした事を特徴としている。
また吐液は吐液吸収物質によって吸収されるので衛生的な処理を特徴としている。
【０００５】
請求項２によると、
請求項１のうがい吐液容器に装着された吐出口において、使用後に吐出口を折り曲げて密閉状態を保持する粘着材を本体に取り付けた事を特徴とした使い捨てのうがい吐液容器である。
これにより、吐き出し直後における吐液が吐液吸収物質に完全に吸収されずに残った状態でも吐液が吐出口から漏洩しない様に吐出口を折り曲げて密封して保持出来るから衛生的で、廃棄場所まで携行する事を可能とした事を特徴としている。
【発明の効果】
【０００６】
本発明のうがい吐液容器によれば、うがい薬さえあれば洗面所の無い外出先でも衛生的に周囲に迷惑を掛けずにうがい行為が実施出来る。これにより、特に新型インフルエンザなど、感染が疑われる環境に遭遇した際には、その場ですぐにうがい行為による口内の消毒が実施出来る。
【図面の簡単な説明】
【０００７】
【図１】この発明にかかるうがい吐液容器における斜視図である。（実施例１）
【図２】図１におにて使用前の状態における断面図である。
【図３】図１において吐出口を咥えた後に吐出口の左右を指で押す事により吐出口を広げる実施例の斜図である。
【図４】図１においてうがい吐液を吐き出した直後に吐出口を折り曲げて密封し本体容器の粘着部に貼り付けた実施例の斜図である。（実施例２）
【発明を実施するための形態】
【０００８】
以下、実施の形態について図面を参照して説明する。
【実施例１】
【０００９】
図１によれば、
使い捨てであるうがい吐液容器１は、防水加工された紙製または樹脂製シート材の容器であって、容器の周囲は糊付けあるいは溶着した貼付部４により袋状に作成されている。
図２によると、容器内部には吐液を吸収する高分子凝集剤などからなる吐液吸収物質２が封入され、吐液はこれで吸収する。
吐出口３は、紙製または樹脂製シート材からなる筒状のものを押し潰し、うがい吐液容器１内へ挿入する様に装着してある。吐出口３は、両端部を指の力で押す事で、円筒形に戻ろうとする復元力を利用しているから吐出口３の開口部を容易に開く事が出来る事を特徴とした使い捨てのうがい吐液容器。
【００１０】
図３は嗽後の吐液を吐出口３を使って吐き出す際に、指の力で吐出口３の両側を軽く押す事で開口部が大きく開く方法を示した図である。
【実施例２】
【００１１】
図４はうがい吐液容器１を利用した直後において、吐液吸収物質２は吐液を吸収途中であって残存した吐液が残っている事もあるので、吐出口３から漏洩する事を防止するために吐出口３を折り曲げて密封し、その状態を保持する目的でうがい吐液容器１の本体に吐出口接着部５を設けた実施例である。この場合、吐出口接着部５の表面は使用されるまでは保護シートをつけても良い。
【符号の説明】
【００１２】
１    うがい吐液容器
２    吐液吸収物質
３    吐出口
４    貼付部
５    吐出口接着部
【図１】
0005582862.tif 000002
【図２】
0005582862.tif 000003
【図３】
0005582862.tif 000004
【図４】
0005582862.tif 000005
(57)【特許請求の範囲】
【請求項１】
屋根を四角形、円形等の二枚の同形のシートの縁を貼り合わせてつくり、
前記屋根の屋内側のシートは凸レンズ状の膨らみ面を備え、
前記屋根の屋外側のシートは平面を備え、
前記二枚のシートの少なくとも一ヶ所に空気挿入兼排出口を備え、
前記空気挿入兼排出口から空気を挿入し、
前記屋根の断面が薄半月状に成形されることを特徴とする屋根の構造。
【請求項２】
前記屋根を合掌組し、接合部分に空気が通る隙間を備えることを特徴とする請求項1の屋根の構造。
【発明の詳細な説明】
【技術分野】
【０００１】
本発明は、屋根の構造に関するものである。
【背景技術】
【０００２】
従来の屋根の構造は、突風や竜巻等の風圧に対して屋根の構造を重厚で柱による地面との結合を強くして耐えることに重点を置き、屋根が突風や竜巻が発生するときの風の流れによる流体力学に重きをおいてこなかった。
【０００３】
この改善策として、風の流れが屋根に影響を及ぼすときに、屋根の上方向にはたらく力を抑制し、屋根の屋内側に力がはたらくような屋根の構造を提案する。
【先行技術文献】
【特許文献】
【０００４】
【特許文献１】特開平9-41731
【発明の概要】
【発明が解決しようとする課題】
【０００５】
この発明は、空気の流れである風が屋根にかかる上方向への力を抑制し、屋根の屋内側に力がはたらく構造になっている。
【課題を解決するための手段】
【０００６】
この発明は、屋根を二枚の四角形、円形等の同形のシートの縁を貼り合わせてつくり、二枚のシートの少なくとも一ヶ所に空気挿入兼排出口を備えて、使用時に空気挿入兼排出口から空気を挿入して、屋根の屋内側のシートに凸レンズ状の膨らみと屋外側のシートをストレート面に成形される屋根の構造である。
【０００７】
前記屋根を合掌組し、接合部分に空気が通過する隙間部を備えた屋根の構造である。
【発明の効果】
【０００８】
本発明に係る屋根の構造は、屋根にかかる空気の流れである風の力を受けてその力を屋根の屋外である上方向への力より大きい屋内方向に発生する揚力を生み出し、屋根全体を屋内方向に押さえつける効果を奏する。
【０００９】
また、この屋根を合掌組し、合掌組した接合部に風の抜ける隙間を備えて両側から入ってくる風をその隙間から逃がして屋内方向に発生する揚力を生み出すことができる。
【図面の簡単な説明】
【００１０】
【図１】屋根の正面図
【図２】屋根の右側面図
【図３】合掌組した屋根の正面図
【図４】合掌組した屋根の上面図
【発明を実施するための形態】
【００１１】
実施形態を具体的に説明するが、本発明はこれらの実施例により何ら限定されるものではない。屋根の構造の有効性をより明確にするためにテントの屋根を例にとって説明する。
【実施例】
【００１２】
図1は、本発明の実施形態におけるテントの屋根の簡易断面正面図である。
屋根3は、屋外側のシート1と屋内側のシート2の縁を貼り合わせており、空気挿入時に、屋外側のシート1はストレートな平面になるように、また屋内側のシート2は凸レンズ状でかつ薄半月状に膨らむように膨らみを備えるように設計されていて、空気挿入兼排出口11から空気を挿入することで屋内方向に凸レンズ状に薄半月状に膨らんだ断面の形状を備え、その縁は柱6a,6bに接合し、柱6a、6bは地面12によって支えられており、図の右方向から吹きつけられる屋外側のシート面を通過する風4と屋内側のシート面を通過する風5が屋根3を通過するとき、屋根3に揚力7がはたらき、屋根3は屋内方向に屋根3を屋内側に抑えようとする力がはたらく。
【００１３】
図2は,テントの屋根の簡易断面側面図である。
図1と同様に屋内方向に凸レンズ状の薄半月状に膨らんだ断面の形状の屋根3を備え、その縁を柱6b、6cに接合し、柱6b、6cは地面12によって支えられており、当該図2における風向きは後方から前方に流れる風であるが、屋根3に対して前後左右、斜め方向からの風の流れ込みによっても、屋根3に揚力7が発生する。つまり、どの側面からも屋内方向に凸レンズ状の薄半月状の断面に屋根3は形成されているため、側面からのどのような風向きに対しても揚力7が発生する。
【００１４】
図3は、2枚の屋根8、屋根9の縁を合掌組したときの簡易断面正面図である。
屋根8と屋根9の同寸の辺の縁を合掌組し、接合部分に空気が通過する隙間部10を備えている。屋根8と屋根9の形状は同形であり、また凸レンズ状の薄半月に膨らんだ膨らみ寸法14も同じにすることで風速が同じであれば、揚力7と同じ揚力13を得ることができ、屋根および柱15a,15b,15c,15dにかかる負荷の偏りをなくす効果がある。設置される地形や気象の特性がある場合その要因に対応するため、それぞれの屋根8屋根9の大きさ、膨らみ寸法14を変更し、対応することができる。また、屋根が同じ形状、大きさであれば、膨らみ寸法14は大きい程、揚力7および揚力13は大きくなる。
【００１５】
図4は、2枚の屋根8、屋根9の簡易透過上面図である。
屋根8と屋根9の接合部に空気が通過する隙間部10が備えられており、隙間部10が大きい程、屋内側のシート面を通過する風5がテント内に入ってくる量の通過量を100パーセントに近づけることができ、効果的な揚力と屋根と柱にかかる歪な負荷の発生を防止することができる。連結具16は、屋根8と屋根9を連結させて屋根全体に強度を持たせたものである。連結具16を備えない構造でもよい。屋根8と屋根9は、柱15a、15b、15c、25d、15e、15f、15g、15hによって地面12に支えられている。
【産業上の利用可能性】
【００１６】
本発明である屋根は、突風や竜巻から屋根を吹き飛ばされる予期できない事故から、屋根、柱その他の建築的構造をコストかけて重厚な造りをするのではなく、空気の流れである風が屋根に接触してその表面を通過し、その屋根の断面の形状によって屋根にかかる流体力学の作用である揚力の働く方向を利用したもので、コスト安、簡易そしてより安全に屋外で建築物をつくることができる。
【符号の説明】
【００１７】
1  屋外側のシート
2  屋内側のシート
3  屋根
4  屋外側のシート面を通過する風
5  屋内側のシート面を通過する風
6a、6b、6c、6d  柱
7  揚力
8  屋根
9  屋根
10  隙間部
11  空気挿入兼排出口
12  地面
13  揚力
14  膨らみ寸法
15a、15b、15c、15d、15e、15f、15g、15h  柱
16  連結具  
【要約】
【課題】
例えば屋外でのテントが突風や竜巻などの自然現象によって吹き飛ばされたりする事故を少なくすることを課題にしている。
【解決手段】
水平な屋根を二枚の四角形、円形等の同形のシートの縁を貼り合わせてつくり、
前記二枚のシートの少なくとも一ヶ所に空気挿入兼排出口を備え、前記空気挿入兼排出口から空気を挿入して前記屋根の屋内側のシートに凸レンズ状の膨らみと前記屋根の屋外側のシートをストレート面に成形することを特徴とする屋根の構造を提供する。
【選択図】図3【図１】
0005582376.tif 000002
【図２】
0005582376.tif 000003
【図３】
0005582376.tif 000004
【図４】
0005582376.tif 000005
(57)【特許請求の範囲】
【請求項１】
内部に整流リブを有する車両に搭載されるダクトにおいて、
該ダクトは、分割された第1の半割ダクトと第２の半割ダクトから構成され、
該第１の半割ダクトと第２の半割ダクトの内壁より夫々板状の第１の整流リブと第２の整流リブが立設されると共に、
該第１の整流リブと第２の整流リブには、前記ダクトが変形した際に、弾性復元可能に変形させる変形惹起部が形成されており、
前記第１の整流リブと第２の整流リブを夫々の先端面同士を突き合わせた状態で、前記第１の半割ダクトと第２の半割ダクトが接合されており、
前記ダクトが変形した際に、前記第１、第２の整流リブ２ａ、２ｂの夫々の先端面同士が突き合わされた状態から、前記第１、第２の整流リブの一方が、前記第１、第２の整流リブの他方に対して、前記第１、第２の整流リブの板厚方向に滑って変形することを特徴とするダクト。
【発明の詳細な説明】
【技術分野】
【０００１】
本発明は、ダクトに関する。詳しくは、吸気また排気による圧力損失を低減させるために、内部に整流リブが立設された自動車の吸気ダクトまたは排気ダクトに関する。
【背景技術】
【０００２】
この種のダクトの構造は、図４に示すように、ダクト１１を第１の半割ダクト１１ａ、第２の半割ダクト１１ｂに２分割し、第１の半割ダクト１１ａから流体の整流を向上させる整流リブ１２を立設し、第２の半割ダクト１１ｂの内壁に当接させ、両半割ダクト１１ａおよび１１ｂを接合することが考えられる。
【先行技術文献】
【特許文献】
【０００３】
【特許文献１】特開２００１−２８０３１１号公報
【発明の概要】
【発明が解決しようとする課題】
【０００４】
しかし、前記した構造ではダクト１に荷重が掛かかると、整流リブ２が永久変形または破損してしまい、整流効果が十分に発揮できなくなる問題がある。この問題を回避するために整流リブを断面キューブ状にすることが考えられるが、整流リブの変形は回避できても、整流リブが板状でなく柱状であると、整流効果が十分に発揮されないという問題が発生する。
【０００５】
本発明は、このような課題を解決しようとするもので、その目的はダクトに荷重が掛かって整流リブが変形しても、弾性的に復元可能な構造を有する整流リブを備えたダクトを提供することにある。
【課題を解決するための手段】
【０００６】
本発明は、上記の目的を達成するためのもので、以下のように構成されている。
内部に整流リブを有する車両に搭載されるダクトにおいて、該ダクトは、分割された第1の半割ダクトと第２の半割ダクトから構成され、該第１の半割ダクトと第２の半割ダクトの内壁より夫々板状の第１の整流リブと第２の整流リブが立設されると共に、
該第１の整流リブと第２の整流リブには、前記ダクトが変形した際に、弾性復元可能に変形させる変形惹起部が形成されており、該第１の整流リブと第２の整流リブを夫々の先端面同士を突き合わせた状態で、前記第１の半割ダクトと第２の半割ダクトが接合されており、
前記ダクトが変形した際に、前記第１、第２の整流リブ２ａ、２ｂの夫々の先端面同士が突き合わされた状態から、前記第１、第２の整流リブの一方が、前記第１、第２の整流リブの他方に対して、前記第１、第２の整流リブの板厚方向に滑って変形することを特徴とするダクト。
【発明の効果】
【０００７】
これにより、ダクトに荷重が掛かって整流リブが変形しても、整流リブを弾性復元可能に変形させる変形惹起部が形成されていることから、元の形状に弾性的に復元するため、整流効果を良好に維持することが可能となる。
【図面の簡単な説明】
【０００８】
【図１】本願発明のダクトを示す斜視図。
【図２】本願発明に係わる図１のＡ−Ａ断面図。
【図３】図２に示したＢ部の拡大図。
【図４】従来技術に係わるダクトの断面図。
【発明を実施するための形態】
【０００９】
以下、本発明を実施するための形態を、図面を用いて説明する。
１は自動車のエンジンの吸気ダクトであり、吸気マニホールドに接続される出口部５とエアクリーナーに接続される入口部４を備えている。
【００１０】
吸気ダクト（以下、単にダクトという。）１は、第１の半割ダクト１ａと第２の半割ダクト１ｂから構成されている。第１の半割ダクト１ａと第２の半割ダクト１ｂは、射出成形により成形される。
【００１１】
２は、吸気ダクト１の圧力損失性能の向上を狙って設置された整流リブである。整流リブ２は、第１の半割ダクト１ａの内壁に一体に立設された第１の整流リブ２ａと、第２の半割ダクト１ｂに立設された第２の整流リブ２ｂとから構成されている。
【００１２】
図３に示すように、第１の半割体１ａの第１の整流リブ２ａ立設されている根元部分には、変形惹起部としての凹部３が形成されている。
【００１３】
吸気ダクト１は、第１の整流リブ２ａと第２の整流リブ２ｂを突き合わせた状態で、第１の半割ダクト１ａと第２の半割ダクト１ｂを、バイブレーション溶着、熱板溶着等により接合される。
【００１４】
本発明はこのように構成されているため、ダクト１に荷重が掛かってもリブ２ａが弾性的に変形し、第１の整流リブ２ａが第２の整流リブ２ｂに対して図３の二点鎖線図に示すようにＦ方向に横滑りした状態となる。ダクト１に掛かった荷重が解除されると、第１の整流リブ２ａは、図３の実線状態に復元する。
【００１５】
これにより、これにより、ダクトに荷重が掛かって整流リブが変形しても、元の形状に弾性的に復元するため、整流効果を良好に維持することが可能となる。
【００１６】
以上、本発明について説明したが、本発明は上記実施形態に限定されるものではない。例えば、前記実施形態においては、第１の整流リブ２ａの根元に凹部３を形成したものを例示したが、第２の整流リブ１ｂの根元に設けてもよいし、第１の整流リブ１ａと第２の整流リブ１ｂの両方の根元に設けてもよく、整流リブ１ａおよび／または１ｂに変形惹起部を設けてもよい。
【００１７】
また、上記実施形態においては、第１の整流リブ２ａと第２の整流リブ２ｂは、第１の半割ダクト１ａと第２の半割ダクト１ｂに夫々一体に形成したものを例示したが、第１の整流リブと第２の整流リブをダクト４より弾性を有する材料で別体として構成し、第１の整流リブと第２の整流リブそれ自体に弾性惹起部としての機能を持たせ、インサート成形等により、第１の半割ダクトと第２の半割ダクトに一体的に成形しても良い。
【００１８】
更に、本発明のダクトは吸気ダクトに限られず、排気ダクトでもよい。
【符号の説明】
【００１９】
１，１１  ダクト
１ａ，１１ａ  第１の半割ダクト
１ｂ、１１ｂ  第２の半割ダクト
２  整流リブ
２ａ  第１の整流リブ
２ｂ  第２の整流リブ
３  凹部（弾性惹起部）
【図１】
0005582914.tif 000002
【図２】
0005582914.tif 000003
【図３】
0005582914.tif 000004
【図４】
0005582914.tif 000005
(57)【特許請求の範囲】
【請求項１】
回転式砲塔を装備した車両であって、装甲コックピット（２）と、主兵器（５）が搭載され得る中央回転式砲塔（４）の作動用システムとを備え、前記砲塔は、円周状の回転案内輪（第５の輪）（８）によって車両の装甲コックピットに接続され、この回転案内輪（第５の輪）は、前記回転案内輪（第５の輪）の中心を通る実質的に垂直な軸の周りの中央回転式砲塔の回転を許容するものであり、
前記回転式砲塔の基台（９）は、前記回転式砲塔と車両のコックピット（２）との間に連通用のハッチ（１０）を備えることを特徴とする車両。
【請求項２】
前記ハッチは、一対の対向するヒンジ（１１）によって、回転式砲塔の底部又は基台において、車両の装甲コックピットの内部に向かって開く請求項１に記載の車両。
【請求項３】
前記ハッチは、４角形又は矩形状である請求項１に記載の車両。
【請求項４】
前記ハッチは、車両の装甲コックピットからアクセス可能な閉鎖手段（１２）及び把持手段（１３）を装備している請求項１に記載の車両。
【請求項５】
前記作動手段は、軌道を有する作動手段である請求項１に記載の車両。
【発明の詳細な説明】
【技術分野】
【０００１】
本発明は、砲手段を持つ回転式砲塔を装備した車両、例えば軍用タイプの無限軌道型車両や回転型車両に関する。
【背景技術】
【０００２】
最先端技術として、無限軌道システムによって移動可能であり、且つ中央回転式砲塔を装備した装甲車両が知られている。この中央回転式砲塔には、前記車両の主兵器、通常は大砲によって構成されるものが搭載される。この大砲は、熱センサを装備し、且つ通常はガス回収及び火災減衰システムを有しており、また液圧的及び／又は電気的に安定状態に保たれている。
【０００３】
この中央回転式砲塔は、また、通常は1基以上の機関砲と、種々の位置指示及び視覚手段又はシステム、例えば指揮官用の安定保持された昼夜周辺視覚ビューアと、熱視界及びレーザ測距器を持つ砲手用の安定保持されたビューアとが射撃制御コンピュータから離れて装備している。この最後のものは、車両の種々のセンサからデータを受信すると共に、全てのデータを処理して、最良の射撃条件を決定することを可能にしている。
【０００４】
普通は、戦車や、戦闘車両又は軍隊輸送車両として分類されるこれらのタイプの車両では、操縦者が位置する内部と、中央回転式砲塔の内部とは、それらの間で分離されている。これは、一般に安全上の理由と中央回転式砲塔の強度上の理由とによるものである。
【発明の開示】
【発明が解決しようとする課題】
【０００５】
本出願人は、緊急ハッチを通して車両の内部と連通する兵器搭載型回転式回転式砲塔を装備した車両を実現したものであり、この緊急ハッチは、好ましくは装甲され、回転式砲塔の底部又は基台において、装甲車両のコックピットの内部に向かって開くようになっている。
【課題を解決するための手段】
【０００６】
本発明の一形態は、添付された請求項１の特徴を有する回転式回転式砲塔を装備した車両に関する。
【発明の効果】
【０００７】
本発明に係る車両の特徴及び利点は、添付の図を参照した例示的且つ非制限的な発明の実施例の形態をとる以下の説明から明瞭且つ明白にされる。
【発明を実施するための最良の形態】
【０００８】
記載した図を参照すると、本発明に係る車両は、装甲コックピット２と、好ましくは無限軌道あるいは回転駆動のシステム３とを備え、しかも中央回転式回転式砲塔４を装備している。この中央回転式砲塔には、通常は大砲あるいは他の兵器やアクチュエータによって構成される主兵器５が搭載されている。
【０００９】
前記大砲には、熱センサが装備でき、且つ通常はガス回収及び火災減衰システムを有しており、また液圧によって安定保持されている。
【００１０】
この中央回転式砲塔には、また、通常は1基またはそれ以上の機関銃６と、種々の位置指示及び視覚手段又はシステム、例えば指揮官用の安定保持されえた昼夜周辺視覚ビューア７と、熱視界及びレーザ測距器を持つ砲手用の安定支持されたビューアとが射撃制御コンピュータから離れて装備されている。後者は、車両の種々のセンサからデータを受信すると共に、全てのデータを処理して、最良の射撃条件を決定するようになっている。
【００１１】
この中央回転式砲塔は、垂直な軸に対して回転式砲塔が完全に回転する（３６０°だけ）ことを許容する円周状の回転案内輪（第５の輪）８によって、車両の装甲コックピットに接続されている。この垂直な軸は、前記回転案内輪（第５の輪）の中心を通る。
【００１２】
本発明によると、この中央回転式砲塔の基台９には、主及び補助搭載兵器に対する制御器が存在する中央回転式砲塔の内部と、車両のコックピット２の内部との間の連通用ハッチ１０が設けられている。
【００１３】
このハッチは、従来から行われているように中央回転式砲塔へのアクセスが外部からも車両の頂部からも可能にするようにしている。それだけでなく、車両のコックピット内の内部の人が、例えば、エピスコープを通して見渡したり、弾薬収納箱を補充したり、緊急発砲を遂行したり、車両自体のコックピットからの他の脱出路を有したり、保守作業を遂行したりする目的での出入りができるようになっている。
【００１４】
このハッチは、一対の対向するヒンジ１１によって、回転式砲塔の底部又は基台に取りつけられて、前記車両のコックピットの内部に向かって開くことが好ましい。
【００１５】
このハッチは、平面四角形又は矩形状であることが好ましい。
【００１６】
このハッチはまた、前記車両のコックピットの内部から手が届く閉鎖手段１２及び把持手段１３を装備していることが好ましい。
【００１７】
本発明の独特な特徴に係る中央回転式砲塔は、前記車両の車体自体への出入り口の構成部材またはコックピット内に入る構成部材を一切有していない。唯一の連通または接続要素は、ハッチ１０である。
【図面の簡単な説明】
【００１８】
【図１】本発明に係る中央回転式回転式砲塔を装備した車両の模式図を示す。
【図２ａ】本発明に係る中央回転式砲塔の底部からの模式図を示す。
【図２ｂ】本発明に係る中央回転式砲塔の横方向模式図を示す。
【図２ｃ】本発明に係る中央回転式砲塔の頂部からの模式図を示す。
【図３ａ】本発明に係る回転式砲塔の斜視模式図を示す。
【図３ｂ】本発明に係る中央回転式砲塔の前部模式図を示す。
【図３ｃ】本発明に係る中央回転式砲塔の下部の拡大部分を示す。
【符号の説明】
【００１９】
２：コックピット
３：無限軌道駆動システム
４：中央回転式回転式砲塔
５：主搭載兵器
６：機関銃
７：ビューア
８：回転案内輪（第５の輪）
９：基台
１０：ハッチ
１１： ヒンジ
１２：閉鎖手段
１３：把持手段
【図１】
0005512338.tif 000002
【図２ａ】
0005512338.tif 000003
【図２ｂ】
0005512338.tif 000004
【図２ｃ】
0005512338.tif 000005
【図３ａ】
0005512338.tif 000006
【図３ｂ】
0005512338.tif 000007
【図３ｃ】
0005512338.tif 000008